(57)【要約】【課題】スライド引き抜きとスライドスタッキングの両方を行うことが可能なコンテナを提供する。【解決手段】本発明のコンテナ１０では、ネスティング状態の上段側のコンテナ１０の第１長辺突部３３を持ち上げてを引くと、その上段側のコンテナ１０の第２長辺突部３４が下段側のコンテナ１０の第１長辺縦溝３１の第１傾斜部３１Ｃに沿って上方に移動して第１長辺縦溝３１から抜ける。即ち、スライド引き抜きを行うことができる。また、第１長辺突部３３は、第１長辺縦溝３１に進入不能な大きさをなしているので、スタッキング状態にする際に、上段側のコンテナ１０の第１長辺突部３３を、下段側のコンテナ１０上でスライドさせて第１長辺縦溝３１に没入させずに通過させることができる。即ち、スライドスタッキングも行うことができる。【選択図】図１２
2019006445.tif 000002
【特許請求の範囲】
【請求項１】
互いに対向する１対の第１側壁の両内側面には、その横方向の中央位置である側壁中央位置より一端側に第１縦溝が対称的に形成される一方、他端側に第２縦溝が対称的に形成され、前記１対の第１側壁の両外側面には、前記側壁中央位置より前記一端側に第１突部が対称的に形成される一方、前記他端側に第２突部が対称的に形成され、さらに、前記第１縦溝及び前記第２突部より前記第２縦溝及び前記第１突部の方が前記側壁中央位置から遠くに配置されているコンテナであって、
段積みされるときに、下段側のコンテナに対して上段側のコンテナが１８０度旋回されていると、前記上段側のコンテナの前記第１突部が、前記下段側のコンテナの前記第２縦溝に受容されかつ、前記上段側のコンテナの前記第２突部が、前記下段側のコンテナの前記第１縦溝に受容されたネスティング状態になる一方、前記下段側のコンテナに対して前記上段側のコンテナが旋回されていないと、前記上段側のコンテナの前記第１突部及び前記第２突部が、前記下段側のコンテナの上面に当接したスタッキング状態になるコンテナにおいて、
各前記第１縦溝のうち前記側壁中央位置側の溝内側面に形成されて、前記第１側壁の上面に向かうに従って前記側壁中央位置側に向かうように傾斜する第１傾斜部を備え、
各前記第１突部は、各前記第１縦溝に進入不能な大きさをなしているコンテナ。
【請求項２】
各前記第１縦溝の上部内面から突出し、前記第１縦溝の上面開口を前記第１側壁の横方向で２分割する溝内突部が備えられ、前記第２突部は、前記溝内突部の下方及び側方を通過可能である請求項１に記載のコンテナ。
【請求項３】
互いに対向する１対の第１側壁の両内側面には、その横方向の中央位置である側壁中央位置より一端側に第１縦溝が対称的に形成される一方、他端側に第２縦溝が対称的に形成され、前記１対の第１側壁の両外側面には、前記側壁中央位置より前記一端側に第１突部が対称的に形成される一方、前記他端側に第２突部が対称的に形成され、さらに、前記第１縦溝及び前記第２突部より前記第２縦溝及び前記第１突部の方が前記側壁中央位置から遠くに配置されているコンテナであって、
段積みされるときに、下段側のコンテナに対して上段側のコンテナが１８０度旋回されていると、前記上段側のコンテナの前記第１突部が、前記下段側のコンテナの前記第２縦溝に受容されかつ、前記上段側のコンテナの前記第２突部が、前記下段側のコンテナの前記第１縦溝に受容されたネスティング状態になる一方、前記下段側のコンテナに対して前記上段側のコンテナが旋回されていないと、前記上段側のコンテナの前記第１突部及び前記第２突部が、前記下段側のコンテナの上面に当接したスタッキング状態になるコンテナにおいて、
各前記第１縦溝の上下方向の中間部又は下端部に連通して、前記第１縦溝の上面開口より前記側壁中央位置側に上面開口を有する分岐溝を備え、前記第２突部が、前記分岐溝を通過可能に構成され、前記第１突部は、前記第１縦溝及び前記分岐溝に進入不能な大きさをなしているコンテナ。
【請求項４】
前記ネスティング状態の前記上段側のコンテナの前記第１突部側の端部を持ち上げ、その反対側の端部を支点に回動させて、前記第２突部を、前記第１縦溝の上方に離脱させることが可能な請求項１乃至３の何れか１の請求項に記載のコンテナ。
【請求項５】
前記第１突部のうち前記側壁中央位置から離れた側の側面と下面とが交差してなる角部をＣ面取り又はＲ面取りしてなるガイド面を備える請求項１乃至４の何れか１の請求項に記載のコンテナ。
【請求項６】
前記１対の第１側壁とは別の１対の第２側壁の両内側面に、１対ずつ計４つの第３縦溝が形成される一方、前記１対の第２側壁の両外側面に、１対ずつ計４つの第３突部が形成され、
前記ネスティング状態で、前記上段側のコンテナの前記第３突部が、前記下段側のコンテナの前記第３縦溝に受容される一方、前記スタッキング状態で、前記上段側のコンテナの前記第３突部が、前記下段側のコンテナの上面に当接するように構成され、
前記第３縦溝における前記第２側壁の横方向の中央側の溝内側面に形成されて、前記第２側壁の上面に向かうに従って前記第２側壁の横方向の中央側に向かうように傾斜する第３傾斜部を備える請求項１乃至５の何れか１の請求項に記載のコンテナ。
【発明の詳細な説明】
【技術分野】
【０００１】
本発明は、段積時に下段側のコンテナに対して上段側のコンテナを１８０度旋回させるか否かにより、上段側のコンテナが下段側のコンテナの内側に受容されるネスティング状態と、受容されないスタッキング状態とに変更可能なコンテナに関する。
【背景技術】
【０００２】
従来、この種のコンテナとして、１対の第１側壁の両内側面の横方向の一端側に第１縦溝が形成される一方、他端側に第２縦溝が形成され、１対の第１側壁の両外側面の一端側に第１突部が形成される一方、他端側に第２突部が形成され、さらに、第１縦溝及び第２突部より第２縦溝及び第１突部の方が第１側壁の横方向の中央から遠くに配置された構造のものが知られている。このようなコンテナには、第１縦溝の一溝内側面を傾斜させて傾斜部を設け、ネスティング状態の上段側のコンテナを斜め上に引き抜く、所謂、「スライド引き抜き可能なコンテナ」もある（特許文献１参照）。
【先行技術文献】
【特許文献】
【０００３】
【特許文献１】特許第３８６０８７３号公報（段落［００２２］，図１、図４）
【発明の概要】
【発明が解決しようとする課題】
【０００４】
ところで、スタッキング状態とネスティング状態とに変更可能なコンテナのうち上述した「傾斜部」を有しないものでは、上段側のコンテナを下段側のコンテナ上でスライドさせてスタッキング状態にする、所謂、「スライドスタッキンング」が行われることがある。しかしながら、上述した「スライド引き抜き可能なコンテナ」では、上段側のコンテナのスライド操作中に第１突部が第１縦溝に没入して、スライドスタッキングを行うことができなかった。
【０００５】
本発明は、上記事情に鑑みてなされたもので、スライド引き抜きとスライドスタッキングの両方を行うことが可能なコンテナの提供を目的とする。
【課題を解決するための手段】
【０００６】
上記目的を達成するためになされた請求項１の発明は、互いに対向する１対の第１側壁の両内側面には、その横方向の中央位置である側壁中央位置より一端側に第１縦溝が対称的に形成される一方、他端側に第２縦溝が対称的に形成され、前記１対の第１側壁の両外側面には、前記側壁中央位置より前記一端側に第１突部が対称的に形成される一方、前記他端側に第２突部が対称的に形成され、さらに、前記第１縦溝及び前記第２突部より前記第２縦溝及び前記第１突部の方が前記側壁中央位置から遠くに配置されているコンテナであって、段積みされるときに、下段側のコンテナに対して上段側のコンテナが１８０度旋回されていると、前記上段側のコンテナの前記第１突部が、前記下段側のコンテナの前記第２縦溝に受容されかつ、前記上段側のコンテナの前記第２突部が、前記下段側のコンテナの前記第１縦溝に受容されたネスティング状態になる一方、前記下段側のコンテナに対して前記上段側のコンテナが旋回されていないと、前記上段側のコンテナの前記第１突部及び前記第２突部が、前記下段側のコンテナの上面に当接したスタッキング状態になるコンテナにおいて、各前記第１縦溝のうち前記側壁中央位置側の溝内側面に形成されて、前記第１側壁の上面に向かうに従って前記側壁中央位置側に向かうように傾斜する第１傾斜部を備え、各前記第１突部は、各前記第１縦溝に進入不能な大きさをなしているコンテナである。
【０００７】
請求項２の発明は、各前記第１縦溝の上部内面から突出し、前記第１縦溝の上面開口を前記第１側壁の横方向で２分割する溝内突部が備えられ、前記第２突部は、前記溝内突部の下方及び側方を通過可能である請求項１に記載のコンテナである。
【０００８】
請求項３の発明は、互いに対向する１対の第１側壁の両内側面には、その横方向の中央位置である側壁中央位置より一端側に第１縦溝が対称的に形成される一方、他端側に第２縦溝が対称的に形成され、前記１対の第１側壁の両外側面には、前記側壁中央位置より前記一端側に第１突部が対称的に形成される一方、前記他端側に第２突部が対称的に形成され、さらに、前記第１縦溝及び前記第２突部より前記第２縦溝及び前記第１突部の方が前記側壁中央位置から遠くに配置されているコンテナであって、段積みされるときに、下段側のコンテナに対して上段側のコンテナが１８０度旋回されていると、前記上段側のコンテナの前記第１突部が、前記下段側のコンテナの前記第２縦溝に受容されかつ、前記上段側のコンテナの前記第２突部が、前記下段側のコンテナの前記第１縦溝に受容されたネスティング状態になる一方、前記下段側のコンテナに対して前記上段側のコンテナが旋回されていないと、前記上段側のコンテナの前記第１突部及び前記第２突部が、前記下段側のコンテナの上面に当接したスタッキング状態になるコンテナにおいて、各前記第１縦溝の上下方向の中間部又は下端部に連通して、前記第１縦溝の上面開口より前記側壁中央位置側に上面開口を有する分岐溝を備え、前記第２突部が、前記分岐溝を通過可能に構成され、前記第１突部は、前記第１縦溝及び前記分岐溝に進入不能な大きさをなしているコンテナである。
【０００９】
請求項４の発明は、前記ネスティング状態の前記上段側のコンテナの前記第１突部側の端部を持ち上げ、その反対側の端部を支点に回動させて、前記第２突部を、前記第１縦溝の上方に離脱させることが可能な請求項１乃至３の何れか１の請求項に記載のコンテナである。
【００１０】
請求項５の発明は、前記第１突部のうち前記側壁中央位置から離れた側の側面と下面とが交差してなる角部をＣ面取り又はＲ面取りしてなるガイド面を備える請求項１乃至４の何れか１の請求項に記載のコンテナである。
【００１１】
請求項６の発明は、前記１対の第１側壁とは別の１対の第２側壁の両内側面に、１対ずつ計４つの第３縦溝が形成される一方、前記１対の第２側壁の両外側面に、１対ずつ計４つの第３突部が形成され、前記ネスティング状態で、前記上段側のコンテナの前記第３突部が、前記下段側のコンテナの前記第３縦溝に受容される一方、前記スタッキング状態で、前記上段側のコンテナの前記第３突部が、前記下段側のコンテナの上面に当接するように構成され、前記第３縦溝における前記第２側壁の横方向の中央側の溝内側面に形成されて、前記第２側壁の上面に向かうに従って前記第２側壁の横方向の中央側に向かうように傾斜する第３傾斜部を備える請求項１乃至５の何れか１の請求項に記載のコンテナである。
【発明の効果】
【００１２】
請求項１の構成では、ネスティング状態の上段側のコンテナにおける第１突部側を持ち上げてから斜め上方に引くと、その上段側のコンテナの第２突部が下段側のコンテナの第１縦溝の第１傾斜部に沿って上方に移動して第１縦溝から抜ける。即ち、本発明のコンテナでは、所謂、スライド引き抜きを行うことができる。それでありながら、第１突部は、第１縦溝に進入不能な大きさをなしているので、スタッキング状態にする際に、上段側のコンテナの第１突部を、下段側のコンテナ上でスライドさせて第１縦溝に没入させずに通過させることができる。即ち、本発明のコンテナでは、スライドスタッキングも行うことができる。つまり、本発明のコンテナによれば、スライド引き抜きとスライドスタッキングの両方を行うことができる。
【００１３】
ここで、第１縦溝を第１突部が進入できない大きさにするためには、単に第１縦溝の上面開口を第１突部より小さくしてもよいし、請求項２の発明のように、第１縦溝の上面開口を溝内突部によって２分割してもよい。その場合、第１縦溝の上面開口を２分割した場合、第２突部が、溝内突部の下方及び側方を通過可能な大きさにすることで、スライド引き抜きを行うことができるようになる。
【００１４】
なお、第１縦溝内に溝内突部を有する構造は、請求項３の発明のように、「各第１縦溝の上下方向の中間部又は下端部に連通して、第１縦溝の上面開口より第２溝部側に上面開口を有する分岐溝を備え、第２突部が、分岐溝を上下に通過可能に構成され、第１突部は、第１縦溝及び分岐溝の各上面開口に進入不能な大きさをなしている」と捉えることができる。
【００１５】
また、「各前記第２縦溝のうち前記側壁中央位置側の溝内側面に形成されて、前記第１側壁の上面に向かうに従って前記側壁中央位置側に向かうように傾斜する第２傾斜部を備える」構成にして、ネスティング状態の上段側のコンテナを、第１側壁の横方向の一方側と他方側の両方向でスライド引き抜きを行えるようにしてもよい。なお、第２傾斜部を設けずに第１傾斜部のみを設けて、第１側壁の横方向の一方向のみで、スライド引き抜きを行えるようにしてもよい。
【００１６】
また、ネスティング状態の上段側のコンテナの第１突部側の端部を持ち上げ、その反対側の端部を支点に回動させて、第２突部を、第１傾斜部の上方や分岐溝を通さずに、第１縦溝の上方に離脱させる、所謂、「回転抜き」も行えるようにして（請求項４の発明）、ネスティング状態の上段側のコンテナの引き抜き操作の自由度を高くしてもよい。
【００１７】
請求項５の構成では、第１縦溝の開口縁と第１突部のガイド面との摺接により、第１突部がスムーズに上面開口を通過し、スライドスタッキングがスムーズに行われる。
【００１８】
請求項６の構成によれば、１対の第１側壁の対向方向と１対の第２側壁の対向方向との両方向で、スライド引き抜きを行うことができる。
【図面の簡単な説明】
【００１９】
【図１】本発明の一実施形態に係るコンテナの上側から見た斜視図
【図２】コンテナの下側から見た斜視図
【図３】コーナー部の部分拡大斜視図
【図４】長側壁の部分拡大斜視図
【図５】コーナー部の部分拡大斜視図
【図６】ネスティング状態のコンテナの斜視図
【図７】スタッキング状態のコンテナの斜視図
【図８】スタッキング状態のコンテナ同士の当接部分を示した斜視図
【図９】スライドスタッキング時のコンテナの斜視図
【図１０】スライドスタッキング時のコンテナの部分拡大斜視図
【図１１】スライド引き抜き時のコンテナの側面図
【図１２】スライド引き抜き時のコンテナの側断面図
【図１３】回転抜き時のコンテナの側面図
【発明を実施するための形態】
【００２０】
以下、本発明の一実施形態を図１〜図１３に基づいて説明する。図１に示すように、本実施形態のコンテナ１０は、平面形状が長方形をなし、本発明の「１対の第１側壁」に相当する１対の長側壁１１，１１と、本発明の「１対の第２側壁」に相当する１対の短側壁１２，１２とをそれぞれ対向状態にして備える。また、長側壁１１の横方向の全長は、短側壁１２の横方向の全長の１．２〜１．５倍程度になっている。
【００２１】
なお、図６及び図７に示すように、コンテナ１０全体は、長側壁１１の横方向の中央位置である側壁中央位置１１Ｐより一方側と他方側とが異なる色の樹脂によって成形されている。
【００２２】
図２に示すように、コンテナ１０の底壁１３は、格子形リブ１３Ｌが張り巡らされ、長側壁１１及び短側壁１２の下面と格子形リブ１３Ｌの下面とが面一に配置されている。また、図１に示すように、底壁１３には、格子形リブ１３Ｌの升目となる部分を上下に貫通する複数の貫通孔１３Ｂが形成さている。なお、長側壁１１及び短側壁１２は、共に底壁１３から僅かに外側に傾斜した状態で起立している。
【００２３】
図２に示すように、コンテナ１０の上端全体からは上端フランジ１４が水平側方に張り出している。また、コンテナ１０の上下方向の略中央位置からは、コーナーフランジ１５が水平側方に張り出している。詳細には、コーナーフランジ１５は、コンテナ１０の上下方向の中央位置より僅かに下方に位置し、コンテナ１０の四隅の各コーナー部を挟んだ長側壁１１及び短側壁１２のコーナー部寄り位置の間に亘って形成されている。そして、コーナーフランジ１５と上端フランジ１４とが複数の縦リブ１６によって連絡されている。
【００２４】
図１に示すように、短側壁１２の横方向の中央上部には、持ち手孔１２Ａが形成されている。また、持ち手孔１２Ａの開口縁からは側方に環状リブ１２Ｂが張り出している。さらに、図２に示すように、長側壁１１の横方向の中央上部には、上端フランジ１４から垂下した１対の縦リブ１４Ａ，１４Ａの間にカバー壁１４Ｂを差し渡してなるフード形状の持ち手部１４Ｃが形成されている。また、長側壁１１及び短側壁１２の全体には、複数の矩形孔１０Ａが形成されている。
【００２５】
図１に示すように、一方の短側壁１２の内側面１２Ｎには、横方向の両端に１対の第１短辺縦溝２１，２１が形成されている。また、他方の短側壁１２の内側面１２Ｎには、１対の第１短辺縦溝２１，２１より横方向の両端から中央側に離れた端部寄り位置に、１対の第２短辺縦溝２２，２２が形成されている。これら第１及び第２の短辺縦溝２１，２２は、それぞれ角溝状をなして、短側壁１２の上下方向の中間位置から上端フランジ１４の上面に亘って延びている。また、図１及び図２に示すように、短側壁１２，１２のうち第１及び第２の短辺縦溝２１，２２の裏側部分は、角溝状に膨出し膨出部２１Ｇ，２２Ｇになっていて、それら膨出部２１Ｇ，２２Ｇの下面がコーナーフランジ１５の下面と面一になっている。
【００２６】
以下の説明において、短側壁１２，１２を区別する場合には、第１短辺縦溝２１を有する側の短側壁１２を「第１の短側壁１２」といい、第２短辺縦溝２２を有する側の短側壁１２を「第２の短側壁１２」ということとする。
【００２７】
第１の短側壁１２の外側面１２Ｇのうちコーナーフランジ１５より下側部分には、横方向において１対の第２短辺縦溝２２，２２と略同じ位置に１対の第１短辺突部２３，２３が形成されている。また、第２の短側壁１２の外側面１２Ｇのうちコーナーフランジ１５より下側部分には、横方向において１対の第１短辺縦溝２１，２１と略同じ位置に１対の第２短辺突部２４，２４が形成されている。第１と第２の短辺突部２３，２４は、図３及び図５に示すように、コーナーフランジ１５又は膨出部２１Ｇ，２２Ｇの下面から短側壁１２の下面寄りまで平行に延びる１対の縦リブ２５Ａ，２５Ａの下端部間を水平な横リブ２５Ｂで連絡してなる。
【００２８】
なお、本実施形態では、上記した第１短辺突部２３及び第２短辺突部２４が、本発明の「第３突部」に相当し、前述の第１短辺縦溝２１及び第２短辺縦溝２２が、本発明の「第３縦溝」に相当する。
【００２９】
図２に示すように、各短側壁１２には、第１及び第２の各短辺突部２３，２４より下側部分を、平面形状が台形状になるように膨出させて下端突部２６が形成されている。下端突部２６の短側壁１２からの突出量は、第１及び第２の短辺突部２３，２４の短側壁１２からの突出量に比べて小さくなっている。
【００３０】
図１に示すように、１対の長側壁１１，１１の両内側面１１Ｎ，１１Ｎには、側壁中央位置１１Ｐより第１の短側壁１２側に１対の第１長辺縦溝３１，３１（本発明の「第１縦溝」に相当する）が対称的に形成される一方、側壁中央位置１１Ｐより第２の短側壁１２側に１対の第２長辺縦溝３２，３２（本発明の「第２縦溝」に相当する）が対称的に形成されている。これら第１及び第２の長辺縦溝３１，３２は、前述の第１及び第２の短辺縦溝２１，２２と同様に、長側壁１１の一部を外側に膨出させてなり、第１及び第２の長辺縦溝３１，３２の裏側が膨出部３１Ｇ，３２Ｇになって、それら膨出部３１Ｇ，３２Ｇの下面が、コーナーフランジ１５の下面と面一になっている（図２参照）。
【００３１】
図４に示すように、第１長辺縦溝３１は、側壁中央位置１１Ｐから離れた側に、上下方向と平行な溝内側面３１Ａを有し、その反対側に、第１傾斜部３１Ｃと下端垂直部３１Ｄとからなる溝内側面３１Ｂを有する。第１傾斜部３１Ｃは、第１長辺縦溝３１における下端寄り位置から上端フランジ１４の上面に亘って形成され、上方に向かうに従って側壁中央位置１１Ｐ側に向かうように傾斜している。また、下端垂直部３１Ｄは、上下方向と平行になっている。
【００３２】
なお、長側壁１１の内側面１１Ｎのうち、第１傾斜部３１Ｃとの間の第１稜線と、下端垂直部３１Ｄとの間の第２稜線と、第１稜線の上端と第２稜線の下端との間を連絡する線分３１Ｒとに囲まれた三角面３１Ｅは、内側面１１Ｎから段付き状に外側にずれている。また、三角面３１Ｅと内側面１１Ｎとの間の段差面３１Ｆが、線分３１Ｒの上端から下端に向かうに従って徐々に幅広になるように内側面１１Ｎに対して三角面３１Ｅが傾斜している。
【００３３】
第２長辺縦溝３２は、第１長辺縦溝３１と同様に、側壁中央位置１１Ｐから離れた側に、上下方向と平行な溝内側面３２Ａを有し、その反対側に第２傾斜部３２Ｃと下端垂直部３２Ｄとからなる溝内側面３２Ｂを有する。また、第１長辺縦溝３１と同様に、第２長辺縦溝３２の三角面３２Ｅも内側面１１Ｎから段付き状にずれ、段差面３２Ｆが備えられている。
【００３４】
また、第２長辺縦溝３２の溝内側面３２Ａと下端垂直部３２Ｄとの間隔は、第１長辺縦溝３１の溝内側面３１Ａと下端垂直部３１Ｄとの間隔より広くなっている。さらには、第２長辺縦溝３２は、第１長辺縦溝３１より側壁中央位置１１Ｐから離れた位置に配置されている。具体的には、第２長辺縦溝３２における側壁中央位置１１Ｐ側の第２傾斜部３２Ｃは、第１長辺縦溝３１における側壁中央位置１１Ｐ側の第１傾斜部３１Ｃより側壁中央位置１１Ｐから遠くに配置されている。
【００３５】
第１長辺縦溝３１には、その上部内面から突出して第１長辺縦溝３１の上面開口３１Ｋを長側壁１１の横方向で第１上面開口３１Ｋ１と第２上面開口３１Ｋ２とに２分割する溝内突部４０が備えられている。溝内突部４０は、コンテナ１０の内側から見た形状が直角三角形になっていて、上端フランジ１４の上面と面一の上面４０Ａと、下端垂直部３１Ｄと面一の垂直面４０Ｂと、第２傾斜部３１Ｃと略平行な傾斜面４０Ｃとを有する。
【００３６】
なお、第１長辺縦溝３１の形状を別の観点から以下のように捉えることができる。即ち、第１長辺縦溝３１を、第１及び第２の短辺縦溝２１，２２と同様に、上下方向に真っ直ぐ延びた形状をなしていると捉えて、その第１長辺縦溝３１の下端寄り位置から分岐溝４１が分岐して上端フランジ１４の上面まで斜め上方に延びていると特定することもできる。そのように特定した場合には、第１長辺縦溝３１の上端開口（前述の第１上面開口３１Ｋ１）と分岐溝４１の上端開口（前述の第２上面開口３１Ｋ２）とが、長側壁１１の横方向に間隔をあけて並んでいると捉えることができる。
【００３７】
図１に示すように、１対の長側壁１１，１１の両外側面１１Ｇ，１１Ｇには、側壁中央位置１１Ｐより第１の短側壁１２側に１対の第１長辺突部３３，３３（本発明の「第１突部」に相当する）が対称的に形成される一方、側壁中央位置１１Ｐより第２の短側壁１２側に１対の第２長辺突部３４，３４（本発明の「第２突部」に相当する）が対称的に形成されている。また、長側壁１１の横方向において、第１長辺突部３３は、第１長辺縦溝３１より側壁中央位置１１Ｐから離れる側に配置され、第２長辺突部３４は、第２長辺縦溝３２より側壁中央位置１１Ｐ寄りに配置されている。
【００３８】
図５に示すように、第１長辺突部３３は、前述の第１及び第２の短辺突部２３，２４と同様に、コーナーフランジ１５又は膨出部３１Ｇ，３２Ｇの下面から長側壁１１の下面寄りまで平行に延びる１対の縦リブ２５Ａ，２５Ａの下端部間を横リブ２５Ｂで連絡してなる。また、長側壁１１の横方向における第１長辺突部３３の幅は、第２長辺縦溝３２の溝内側面３２Ａと下端垂直部３２Ｄとの間の幅より僅かに小さく、第１及び第２の上面開口３１Ｋ１，３１Ｋ２の開口幅より大きくなっている。さらには、第１長辺突部３３には、側壁中央位置１１Ｐから離れた側の下端角部をＣ面取りして、縦リブ２５Ａ及び横リブ２５Ｂの外面に対して斜めに交差するガイド面３３Ｔ（図５のみに示されている）が形成されている。
【００３９】
図３に示すように、第２長辺突部３４は、コーナーフランジ１５から下方に離間した位置に配置され、断面五角形の筒状をなして長側壁１１の外側面１１Ｇから側方に突出している。その第２長辺突部３４の断面五角形は、正方形の上辺を上方に山形状に屈曲させてなる。また、長側壁１１の横方向における第２長辺突部３４の幅は、第１長辺縦溝３１における溝内側面３１Ａと下端垂直部３１Ｄとの間隔より僅かに小さい幅をなしている。そして、第２長辺突部３４全体が、第１長辺縦溝３１で溝内突部４０の側方及び下方を通過することが可能になっている。
【００４０】
第１及び第２の長辺突部３３，３４の下面は、前述の第１及び第２の短辺突部２３，２４の下面と面一になっている。また、第１及び第２の長辺突部３３，３４の下方にも、第１及び第２の短辺突部２３，２４の下方と同様に下端突部２６がそれぞれ形成され、それら下端突部２６の長側壁１１からの突出量も、長側壁１１からの第１及び第２の長辺突部３３，３４の突出量より小さくなっている。
【００４１】
本実施形態のコンテナ１０の構成に関する説明は以上である。次に、このコンテナ１０の作用効果について説明する。なお、以下の段積み状態の説明において、「上段側のコンテナ１０の第１長辺突部３３」、「下段側のコンテナ１０の第２長辺縦溝３２」等を、適宜、「コンテナ１０の」を省略して、「上段側の第１長辺突部３３」、「下段側の第２長辺縦溝３２」等と簡略するものとする。
【００４２】
本実施形態のコンテナ１０は、段積みされる際に下段側のコンテナ１０に対して上段側のコンテナ１０が１８０度旋回されていると、図１２（Ａ）に示すように、上段側の第１長辺突部３３が下段側の第２長辺縦溝３２に受容され、上段側の第２長辺突部３４が下段側の第１長辺縦溝３１に受容される。また、図示しないが、上段側の第１短辺突部２３が下段側の第２短辺縦溝２２に受容され、上段側の第２短辺突部２４が下段側の第１短辺縦溝２１に受容される。そして、図６に示すように上段側のコーナーフランジ１５が下段側の上端フランジ１４に当接し、上段側のコンテナ１０のコーナーフランジ１５より下側部分が下段側のコンテナ１０に受容されたネスティング状態になる。また、ネスティング状態になると、図１２（Ａ）に示すように第１及び第２の長辺縦溝３１，３２と、第１及び第２の短辺縦溝２１，２２の各下端部に下端突部２６が受容される。
【００４３】
一方、コンテナ１０が段積されるときに、下段側のコンテナ１０に対して上段側のコンテナ１０が旋回されていないと、図８に示すように上段側のコンテナ１０（図８のハッチングを付けた部分）の第１及び第２の長辺突部３３，３４と、第１と第２の短辺突部２３，２４とが、下段側のコンテナ１０の上端フランジ１４のうち第１及び第２の長辺縦溝３１，３２と第１及び第２の短辺縦溝２１，２２とからズレた位置に当接し、図７に示すように、上段側のコンテナ１０の下端部のみが下段側のコンテナ１０の内側に嵌合したスタッキング状態になる。また、スタッキング状態になると、各下端突部２６の先端平面２６Ａ（図３及び図５参照）が、長側壁１１及び短側壁１２の内側面１１Ｎ，１２Ｎに隣接する。
【００４４】
さて、コンテナ１０，１０をスタッキング状態に段積みする際に、上段側のコンテナ１０を傾斜姿勢にして下段側のコンテナ１０上でスライドさせるスライドスタッキングを行うと作業効率が上がる場合がある。そのスライドスタッキングを行うために、図９に示すように、例えば、上段側のコンテナ１０のうち第２短辺縦溝２２を有する側を持ち上げ、第１長辺突部３３を下段側のコンテナ１０の長側壁１１の側壁中央位置１１Ｐ近傍に乗せてからスライドさせると、第１長辺突部３３が第１長辺縦溝３１の上面開口３１Ｋに至る。
【００４５】
ここで、図４に示すように、第１長辺縦溝３１の上面開口３１Ｋは、溝内突部４０によって第１上面開口３１Ｋ１と第２上面開口３１Ｋ２とに２分割され、図１０（Ａ）及び図１０（Ｂ）に示すように、長側壁１１の横方向における第１長辺突部３３の幅は、第１上面開口３１Ｋ１及び第２上面開口３１Ｋ２の開口幅より大きい。これにより、第１長辺突部３３を第１長辺縦溝３１に没入させずに通過させることができる。
【００４６】
しかも、第１長辺突部３３の下端角部にはガイド面３３Ｔ（図５参照）が形成されているので、そのガイド面３３Ｔと第１長辺縦溝３１の開口縁との摺接により、第１長辺突部３３は第１長辺縦溝３１の上面開口３１Ｋをスムーズに通過する。
【００４７】
そして、上段側のコンテナ１０の第１短辺縦溝２１を有する短側壁１２（第１短辺突部２３）の下部が、下段側のコンテナ１０の第１短辺縦溝２１を有する短側壁１２の上部に当接したところで、上段側のコンテナ１０を水平姿勢にすれば、スタッキング状態になる（図７参照）。
【００４８】
一方、スライドスタッキングを行うために、上記例とは逆に、例えば上段側のコンテナ１０のうち第１短辺縦溝２１を有する側を持ち上げ、第２長辺突部３４を下段側のコンテナ１０の長側壁１１の側壁中央位置１１Ｐ近傍に乗せてからスライドさせると、第２長辺突部３４が第２長辺縦溝３２の上面開口３２Ｋに至る前に、上段側のコンテナ１０の第２短辺縦溝２２を有する短側壁１２（第２短辺突部２４）の下部に、下段側のコンテナ１０の第２短辺縦溝２２を有する短側壁１２の上部が当接する。そこで、上段側のコンテナ１０を水平姿勢にすれば、コンテナ１０，１０がスタッキング状態になる（図７参照）。
【００４９】
このように、本実施形態のコンテナ１０によれば、スムーズにスライドスタッキングを行うことができる。また、上記した各スライドスタッキングと逆の動作を行えば、スタッキング状態の上段側のコンテナ１０を容易に持ち上げることができる。
【００５０】
ネスティング状態の上段側のコンテナ１０を持ち上げる場合に、上段側のコンテナ１０を下段側のコンテナ１０に対して斜め上方に引き抜く「スライド引き抜き」を行うと作業効率が上がる場合がある。ここで、図６に示されたネスティング状態の上段側のコンテナ１０が、第２短辺縦溝２２を有する側（図６のドットのハッチングを付されていない側）を持ち上げられて斜め上方に引かれた場合、上段側の第１長辺突部３３が下段側の第２長辺縦溝３２の第２傾斜部３２Ｃ（図４参照）上をスライドして第２長辺縦溝３２外に出る。つまり、ネスティング状態の上段側のコンテナ１０のスライド抜きを行うことができる。また、このとき第１長辺突部３３の下方の下端突部２６の側部斜面２６Ｂ(図３及び図５参照）が下端垂直部３２Ｄに摺接して第２長辺縦溝３２の三角面３２Ｅの内側に誘導され、下端突部２６の先端平面２６Ａと第２長辺縦溝３２に隣接又は当接した状態になって第１長辺突部３３と共に上方に移動する。なお、スライド抜きされた上段側のコンテナ１０の第１長辺突部３３を、下段側のコンテナ１０上でスライドさせて引き寄せてからコンテナ１０を持ち上げてもよい。
【００５１】
図１１（Ａ）及び図１１（Ｂ）に示すように、ネスティング状態の上段側のコンテナ１０が、第１長辺突部３３を有する側（図６のドットのハッチングを付されている側）を持ち上げられて斜め上方に引かれた場合、図１２（Ｂ）から図１２（Ｃ）に示すように、上段側の第２長辺突部３４が溝内突部４０の下方に潜り込む。そして、図１１（Ｂ）から図１１（Ｃ）に示すように上段側のコンテナ１０を更に引くと、図１２（Ｃ）から図１２（Ｄ）に示すように、上段側の第２長辺突部３４が下段側の第１長辺縦溝３１の第１傾斜部３１Ｃ上をスライドして第１長辺縦溝３１の第２上面開口３１Ｋ２から第１長辺縦溝３１外に出る。換言すれば、第２長辺突部３４が第１長辺縦溝３１の分岐溝４１を通して第１長辺縦溝３１外に出る。このようにネスティング状態の上段側のコンテナ１０のスライド抜きを行うことができる。また、このとき、第２長辺突部３４の下方の下端突部２６は、前述した第１長辺突部３３の下方の下端突部２６と同様に三角面３１Ｅに沿って上方に移動する。また、スライド抜きされた上段側のコンテナ１０を下段側のコンテナ１０上でスライドさせて引き寄せてから持ち上げてもよい。
【００５２】
また、ネスティング状態の上段側のコンテナ１０を回動させて、第１長辺縦溝３１内の第２長辺突部３４を、溝内突部４０の下方を通過させずに（換言すれば、第１傾斜部３１Ｃの上方を通過させずに）、第１長辺縦溝３１外に離脱させる、所謂、「回転抜き」を行うこともできる。そのためには、図１３に示すように、ネスティング状態の上段側のコンテナ１０の第１長辺突部３３を有する側の端部を引かずに持ち上げればよい。すると、第２長辺突部３４が第１長辺縦溝３１の第１上面開口３１Ｋ１から第１長辺縦溝３１外に抜け出る。
【００５３】
以上説明したように本実施形態のコンテナ１０は、長側壁１１の横方向の一方側と他方側の両方向で、スライド引き抜きとスライドスタッキングの両方を行うことができる。また、回転抜きも可能である。これらにより、効率良くコンテナの段積み及び積み卸し作業を行うことができる。
【００５４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５５】
（１）前記実施形態のコンテナ１０は、上述したように長側壁１１の横方向でスライド抜きを行うことができるが、短側壁１２の横方向でスライド抜きを行うことができなかった。これに対し、前記実施形態のコンテナ１０における第１と第２の短辺縦溝２１，２２の溝内側面にも、前記第１及び第２の傾斜部３１Ｃ，３２Ｃと同様の傾斜部を設けるか、或いは、短側壁１２の第１及び第２の短辺縦溝２１，２２を、長側壁１１の第１及び第２の長辺縦溝３１，３２と同一形状にして、短側壁１２の横方向においてスライド抜きを行えるようにしてもよい。
【００５６】
（２）前記実施形態のコンテナ１０では、第１長辺縦溝３１の上面開口３１Ｋを溝内突部４０にて２分割することで、第１長辺突部３３が第１上面開口３１Ｋ１に没入しない構成になっていたが、溝内突部４０を設けずに、単に第１長辺縦溝３１の上面開口３１Ｋを第１長辺突部３３より小さくしてもよい。
【符号の説明】
【００５７】
１０    コンテナ
１０Ａ    矩形孔
１１    長側壁（第１側壁）
１１Ｇ    外側面
１１Ｎ    内側面
１１Ｐ    側壁中央位置
１２    短側壁（第２側壁）
１４    上端フランジ
２１    第１短辺縦溝（第３縦溝）
２２    第２短辺縦溝（第３縦溝）
２３    第１短辺突部（第３突部）
２４    第２短辺突部（第３突部）
３１    第１長辺縦溝（第１縦溝）
３１Ｃ    第１傾斜部
３１Ｋ    上面開口
３１Ｋ１    第１上面開口
３１Ｋ２    第２上面開口
３２    第２長辺縦溝（第２縦溝）
３２Ｃ  第２傾斜部
３３    第１長辺突部（第１突部）
３３Ｔ  ガイド面
３４    第２長辺突部（第２突部）
４０    溝内突部
４１    分岐溝
【図１】
2019006445.tif 000003
【図２】
2019006445.tif 000004
【図３】
2019006445.tif 000005
【図４】
2019006445.tif 000006
【図５】
2019006445.tif 000007
【図６】
2019006445.tif 000008
【図７】
2019006445.tif 000009
【図８】
2019006445.tif 000010
【図９】
2019006445.tif 000011
【図１０】
2019006445.tif 000012
【図１１】
2019006445.tif 000013
【図１２】
2019006445.tif 000014
【図１３】
2019006445.tif 000015